【事件の表示】
　特願２０１５−８２１５５号「遊技機」拒絶査定不服審判事件〔平成２８年１２月１日出願公開、特開２０１６−１９８３９９号〕について、次のとおり審決する。
【結　論】
　本件審判の請求は、成り立たない。
【理　由】
第１　手続の経緯の概要
　本願は、平成２７年４月１４日の出願であって、平成２８年３月２３日付けで拒絶の理由が通知され、同年５月２７日に意見書及び手続補正書が提出され、同年１１月２２日付けで拒絶の理由が通知され、平成２９年１月３０日に意見書及び手続補正書が提出されたところ、同年６月１４日付け（発送日：同年６月２０日）で拒絶査定がなされ、それに対して、同年９月１３日に拒絶査定不服審判の請求がなされると同時に手続補正がなされたものである。
　
第２　平成２９年９月１３日付けの手続補正についての補正却下の決定
　平成２９年９月１３日付けの手続補正（以下「本件補正」という。）を却下する。
　
［理由］
　１　補正の内容
　本件補正は、特許請求の範囲の補正を含んでおり、本件補正により、平成２９年１月３０日付けの手続補正書における特許請求の範囲の請求項１における
「【請求項１】
　特別遊技を実行するか否かを始動条件の成立を契機として判定すると共に、このときの判定結果に基づいて遊技の進行を制御する遊技制御手段と、
　前記判定結果に基づいて複数の演出のうちから決定された遊技の進行に対応する遊技演出を演出装置に実行させる演出制御手段と、
　を備える遊技機であって、
　前記複数の演出は、前記特別遊技を実行する信頼度が高い複数の第１の予告演出と、前記特別遊技を実行する信頼度が前記複数の第１の予告演出よりも低い複数の第２の予告演出とを含み、
　前記演出制御手段は、図柄表示手段の図柄の変動開始から変動停止までの１回の変動表示内における所定のリーチ演出の実行中に、前記複数の第１の予告演出のうちの特定の予告演出であって、遊技者による操作手段の操作により実行されるもの及び遊技者による操作手段の操作がなくても実行可能なもののうち遊技者による操作手段の操作がなくても実行可能なものを２回以上実行せず、
　前記演出制御手段は、前記１回の変動表示内における疑似連続変動演出の実行中に、前記複数の第１の予告演出のうちの特定の予告演出であって、遊技者による操作手段の操作により実行されるもの又は遊技者による操作手段の操作がなくても実行可能なものを２回以上実行することがある遊技機。」は、
　
　審判請求時に提出された手続補正書（平成２９年９月１３日付け）における
「【請求項１】
　特別遊技を実行するか否かを始動条件の成立を契機として判定すると共に、このときの判定結果に基づいて遊技の進行を制御する遊技制御手段と、
　前記判定結果に基づいて複数の演出のうちから決定された遊技の進行に対応する遊技演出を演出装置に実行させる演出制御手段と、
　を備える遊技機であって、
　前記複数の演出は、前記特別遊技を実行する信頼度が高い複数の第１の予告演出と、前記特別遊技を実行する信頼度が前記複数の第１の予告演出よりも低い複数の第２の予告演出と
、可動役物の落下によって前記特別遊技が実行されることを報知する可動役物落下演出と
　前記演出制御手段は、図柄表示手段の図柄の変動開始から変動停止までの１回の変動表示内における所定のリーチ演出の実行中に、前記複数の第１の予告演出のうちの特定の予告演出であって、遊技者による操作手段の操作により実行されるもの及び遊技者による操作手段の操作がなくても実行可能なもののうち遊技者による操作手段の操作がなくても実行可能なものを２回以上実行せず、
　前記演出制御手段は、前記１回の変動表示内における疑似連続変動演出の実行中に、前記複数の第１の予告演出のうちの特定の予告演出であって、遊技者による操作手段の操作により実行されるもの又は遊技者による操作手段の操作がなくても実行可能なものを２回以上実行することがあ
り、
　
前記演出制御手段は、前記１回の変動表示内における所定のリーチ演出の実行中に、前記可動役物落下演出を２回以上実行しない
　
ことを特徴とする
　
　２　補正の適否
　本件補正は、補正前の請求項１に記載した発明を特定するために必要な事項である「複数の演出」に関して、「可動役物の落下によって前記特別遊技が実行されることを報知する可動役物落下演出」「を含み」と限定し、
　本件補正前の請求項１に記載した発明を特定するために必要な事項である「演出制御手段」に関して、「前記演出制御手段は、前記１回の変動表示内における所定のリーチ演出の実行中に、前記可動役物落下演出を２回以上実行しない」ことを加えることを含むものである。
　
　そして、補正後の請求項１に係る発明は、補正前の請求項１に係る発明と、産業上の利用分野及び解決しようとする課題が同一であるから、本件補正のうち特許請求の範囲の請求項１についてする補正は、特許法第１７条の２第５項第２号に規定する「特許請求の範囲の減縮」を目的とする補正に該当する。
　また、本件補正は、願書に最初に添付した明細書の【０１３３】、【０１７４】、特許請求の範囲又は【図３１】等の記載からみて、新規事項を追加するものではない。
　
　３　独立特許要件
　そこで、本件補正後の請求項１に係る発明（以下「本件補正発明」という。）が特許出願の際に独立して特許を受けることができるものであるか否か、すなわち、特許法第１７条の２第６項において準用する同法第１２６条第７項の規定に適合するか否かについて、以下に検討する。
　
　（１）本件補正発明
　本件補正発明は、次のとおりのものであると認める（記号Ａ〜Ｊは、分説するため当審で付した。）。
「Ａ　特別遊技を実行するか否かを始動条件の成立を契機として判定すると共に、このときの判定結果に基づいて遊技の進行を制御する遊技制御手段と、
Ｂ　前記判定結果に基づいて複数の演出のうちから決定された遊技の進行に対応する遊技演出を演出装置に実行させる演出制御手段と、
　を備える遊技機であって、
Ｃ　前記複数の演出は、前記特別遊技を実行する信頼度が高い複数の第１の予告演出と、前記特別遊技を実行する信頼度が前記複数の第１の予告演出よりも低い複数の第２の予告演出と、可動役物の落下によって前記特別遊技が実行されることを報知する可動役物落下演出とを含み、
Ｄ　前記演出制御手段は、図柄表示手段の図柄の変動開始から変動停止までの１回の変動表示内における所定のリーチ演出の実行中に、前記複数の第１の予告演出のうちの特定の予告演出であって、遊技者による操作手段の操作により実行されるもの及び遊技者による操作手段の操作がなくても実行可能なもののうち遊技者による操作手段の操作がなくても実行可能なものを２回以上実行せず、
Ｅ　前記
演出制御手段は、
１回の変動表示内
疑似連続変動演出の実行中
複数の第１の予告演出のうちの特定の予告演出
遊技者による操作手段の操作により実行されるもの
遊技者による操作手段の操作がなくても実行可能なもの
Ｆ　前記演出制御手段は、前記１回の変動表示内における所定のリーチ演出の実行中に、前記可動役物落下演出を２回以上実行しない
　ことを特徴とする遊技機。」
　
　（２）刊行物１
　原査定の拒絶の理由に引用された、本件の出願前に頒布された刊行物である特開２０１４−１３８８４１号公報（以下「刊行物１」という。）には、遊技機に関して、図面と共に以下の事項が記載されている（下線は審決にて付した。以下同じ。）。
　
　・記載事項
　　ア　「【技術分野】
【０００１】
　本発明は、
遊技機
　
　　イ　「【発明が解決しようとする課題】
【０００５】
　しかし、上記のような高信頼度予告演出が比較的多く出現したにもかかわらず、ゲーム結果として「ハズレ」が導出されてしまうと、遊技者にとっては、当選期待感が大きかった反動により大きく失望し、遊技機に対する不信感を招来する。また遊技者が、上記のようなケースを複数回経験してしまうと、予告演出に対する信頼感を失ってしまい、当りへの当選期待感を与えるといった、元来、予告演出が有する意義が没却される恐れがある。
【０００６】
　そこで本発明は、当り当選期待度が相対的に高まる高信頼度予告演出の出現をある程度抑制し、遊技者に対して過度な当りへの当選期待感を与えてしまうことを極力抑えうる遊技機を提供することを目的とする。」
　
　　ウ　「【００５３】
　また主制御部２０は、
特別図柄変動表示ゲームに関する情報を乗せた演出制御コマンド
　
　　エ　「【００６１】
　＜３．動作の概説＞
　次に、上記制御装置（図３）を用いた本実施形態のパチンコ遊技機１に係る遊技動作について説明する。
【００６２】
　（３−１．図柄変動表示ゲーム）
　（３−１−１．特別図柄変動表示ゲーム、装飾図柄変動表示ゲーム）
　本実施形態のパチンコ遊技機１では、所定の始動条件、具体的には、
遊技球が上始動口３４または下始動口３５に遊技球が入球
したことに基づき、主制御部２０において
「大当り抽選」が行なわれる。主制御部２０は、その抽選結果に基づき
特別図柄１、２を変動表示して特別図柄変動表示ゲームを開始させ、所定時間経過後に、その結果を
導出表示して、
特別図柄変動表示ゲームを終了させる。
　
　　オ　「【００７１】
　
演出制御部２４は、主制御部２０から送られてくる演出制御コマンド
に含まれる情報に基づいて、
装飾図柄を変動表示して装飾図柄変動表示ゲームを実行させる。これにより、特別図柄表示装置３８ａ、３８ｂによる特別図柄の変動表示と時間的に同調して、液晶表示装置３６による装飾図柄が変動表示され、
　
　　カ　「【０１２３】
　（５−２．予告演出）
　次に、予告演出について説明する。
演出制御部２４は、図柄変動表示ゲーム中において、主制御部２０からの演出制御コマンドの内容、具体的には、
変動パターン指定コマンドに含まれる変動パターン情報（たとえば当落抽選結果、リーチ演出の有無、および特別図柄の変動時間など）に基づき、大当り抽選結果に関連した様々な予告演出を
現出制御する
【０１２４】
　（５−２−１．リーチ演出）
　上記「リーチ演出」とは、リーチ状態を伴う演出態様をいい、具体的には、リーチ状態を経由して最終結果を表示するような演出態様をいう。この
「リーチ状態」とは、装飾図柄変動表示ゲームの結果が導出される前段階において、
装飾図柄変動表示ゲーム
　
　　キ　「【０１２８】
　（５−２．期待予告演出）
　本実施形態では、大当りである旨を示す装飾図柄の組合せが導出表示される過程で上記リーチ演出を経由するようになっている。このため、遊技者にとって、リーチ演出の発生の有無が大当りの可能性を知る手がかりとなる。そこで、
リーチ演出の発生可能性を予告
する演出態様
として、複数種類の「期待予告演出」が設けられている。
【０１２９】
　次に、本実施形態の「期待予告演出」について説明する。なお本実施形態では、大当りである旨を示す装飾図柄の組合せが導出表示される過程で上記リーチ演出を経由する関係上、本明細書中では、上記
「期待予告演出」の発生タイミングに着目し、リーチ演出前に発生しうる予告演出を「前予告演出」と、リーチ演出中に発生しうる予告演出を「後予告演出」
【０１３０】
　（５−２−１．疑似連（疑似連演出））
　本実施形態では、上記「期待予告演出」の一態様として、疑似連演出（以下、「疑似連」と略す）が設けられている。
　
「疑似連」とは、
装飾図柄変動表示ゲーム中において、装飾図柄の一部または全部を一旦仮停止状態とし、その仮停止状態から装飾図柄の再変動動作を実行する、といった表示動作を１回または複数回繰り返す
　
　　ク　「【０１３３】
　（５−３．他の期待予告演出：図２４、図２５）
　上述した「疑似連」は、主として、装飾図柄の変動表示および停止表示状態に関する演出態様である。本実施形態では、上記疑似連のような装飾図柄の変動表示態様を利用した予告演出態様とは別の予告演出態様として、
複数種類の
後予告演出が設けられている。これらの予告演出は、
疑似連中においても複合発生しうる予告演出態様となっている。
【０１３４】
　（５−３−１．前予告演出：図２４）
　先ず図２４を参照して前予告演出１〜６について説明する。図２４は、本実施形態に係る前予告演出の一例を示したものである。
・・・
【０１４１】
　本実施形態では、
各期待予告演出に属する演出群のうち、
当り当選期待度が所定の期待値以上
のものを高信頼度予告演出と称し、それ以外を低信頼度予告演出と称し
　
　　ケ　「【０１５６】
　次に、前予告演出６について説明する。本実施形態の
前予告演出６は、可動体役物
の動作パターン
により、当り当選期待度を示唆する予告演出態様であり
高信頼度予告演出に属するもの
　
　　コ　「【０１５９】
　本実施形態の
後予告演出１は、
「画像出現予告演出」に属する
特定画像として、複数の花弁が舞い落ちる様を表現した画像が表示され、この舞い落ちる花弁の種類に応じて当り当選期待度が示唆されるといった予告演出態様である
・・・
【０１６１】
　次に、後予告演出２について説明する。本実施形態の
後予告演出２は、
「ボタン予告演出」に属する
予告演出遊技者が枠演出ボタン１３を操作したか否かに応じて、演出の内容が変化し得る予告演出態様である
・・・
【０１６４】
　斯様な
期待予告演出を複数種類を設ける
前予告演出１〜６および後予告演出
の各予告演出に属する高信頼度予告演出
　
　　サ　「【０３０２】
　（１６．装飾図柄指定コマンド受信処理：図１６）
　図１６は、装飾図柄指定コマンドを受信した場合の受信コマンド解析処理を示すフローチャートである。この装飾図柄指定コマンドは、図９の特別図柄変動開始処理のステップＳ４１５で送信される演出制御コマンドである。この処理では、図１５の変動パターン指定コマンド受信処理で得られた変動パターン情報と、装飾図柄指定コマンドにより得られる情報とに基づいて、図柄変動表示ゲーム中の演出（各種の予告演出）、装飾図柄の表示態様（疑似連中の仮停止図柄、リーチ図柄、最終的に停止表示される装飾図柄の組合せなど）が決定され、今回の図柄変動表示ゲーム中に現出される演出の演出シナリオが構成される。
【０３０３】
　図１６において、
演出制御部２４
は、
・・・
【０３０９】
　次いで、
ステップＳ７５４の処理では、ステップＳ７５３で決定された予告演出抽選テーブル指定テーブル
に基づき、今回の図柄変動表示ゲーム中に現出すべき期待予告演出を抽選により決定する
・・・
【０３１２】
　（Ｔ−３：予告演出抽選テーブル）。
　上記予告演出抽選テーブル（前予告演出１＿ＴＢＬ〜前予告演出６＿ＴＢＬ、後予告演出１＿ＴＢＬ〜後予告演出２＿ＴＢＬ：図示せず）には、変動パターンの内容と予告演出とが関連付けて定められており、具体的には、
変動パターンの内容と演出用乱数
とに基づき、期待予告演出種別
に属する複数種類の予告演出のうちからいずれかの一つの予告演出が抽選により決定されるようになっている。
各期待予告演出種別（前予告演出１〜６、後予告演出１〜２）に属する予告演出
　
　　シ　「【０３２８】
　この
高信頼度予告演出変更処理では、ステップＳ７５４の予告演出抽選処理で決定された高信頼度予告演出を、
その高信頼度予告演出の現出予定自体をキャンセル（無効化）する
高信頼度予告演出の現出が１回だけに制限される
　
　・認定事項
　　ス　刊行物１には、【０１４１】に「・・・当り当選期待度が所定の期待値以上・・・のものを高信頼度予告演出と称し、それ以外を低信頼度予告演出と称・・・」と記載され、【０１６４】に「・・・前予告演出１〜６および後予告演出・・・の各予告演出に属する高信頼度予告演出・・・」と記載され、【０３１２】に「・・・各期待予告演出種別（前予告演出１〜６、後予告演出１〜２）に属する予告演出・・・」と記載されている。
　これらの記載から、刊行物１には、「当り当選期待度が所定の期待値以上の、前予告演出１〜６および後予告演出１〜２の各予告演出に属する高信頼度予告演出と、それ以外の低信頼度予告演出とが含まれ」ることが記載されていると認められる。
　
　　上記ア〜シの記載事項、上記スの認定事項、及び、図面の図示内容を総合すると、刊行物１には次の発明（以下「刊行物発明」という。）が記載されていると認められる（ａ〜ｆは、本件補正発明のＡ〜Ｆに対応させて付与した。）。
「ａ　遊技球が上始動口３４または下始動口３５に遊技球が入球したことに基づき「大当り抽選」が行なわれ、その抽選結果に基づき、特別図柄１、２を変動表示して特別図柄変動表示ゲームを開始させ、所定時間経過後に、その結果を導出表示して、特別図柄変動表示ゲームを終了させる主制御部２０（【００６２】）と、
　
ｂ　装飾図柄変動表示ゲーム中において、主制御部２０からの特別図柄変動表示ゲームに関する情報を乗せた、演出制御コマンドの内容、すなわち、変動パターン指定コマンドに含まれる変動パターン情報（たとえば当落抽選結果、リーチ演出の有無、および特別図柄の変動時間など）に基づき、大当り抽選結果に関連した様々な予告演出を液晶表示装置３６に現出制御する演出制御部２４（【００５３】、【００７１】、【０１２３】〜【０１２４】）と
　を備える遊技機であって（【０００１】）、
　
ｃ　リーチ演出の発生可能性を予告する演出態様として、複数種類の「期待予告演出」が設けられ、「期待予告演出」には、発生タイミングに着目すると、リーチ演出前に発生しうる複数種類の予告演出である「前予告演出」と、リーチ演出中に発生しうる複数種類の予告演出である「後予告演出」とが含まれ（【０１２８】〜【０１２９】、【０１３３】）、
　当り当選期待度が所定の期待値以上の、前予告演出１〜６および後予告演出１〜２の各予告演出に属する高信頼度予告演出と、それ以外の低信頼度予告演出とが含まれ（認定事項ス）、
　「前予告演出」には、可動体役物の動作パターンにより、当り当選期待度を示唆する予告演出態様であって、高信頼度予告演出に属するものである前予告演出６が含まれ（【０１５６】）、
　
ｄ　「後予告演出」には、特定画像として、複数の花弁が舞い落ちる様を表現した画像が表示され、この舞い落ちる花弁の種類に応じて当り当選期待度が示唆されるといった予告演出態様である「画像出現予告演出」に属する後予告演出１と、予告演出遊技者が枠演出ボタン１３を操作したか否かに応じて、演出の内容が変化し得る予告演出態様である「ボタン予告演出」に属する後予告演出２とがあり（【０１５９】、【０１６１】）、
　演出制御部２４は、ステップＳ７５４の処理では、ステップＳ７５３で決定された予告演出抽選テーブル指定テーブルに基づき、今回の図柄変動表示ゲーム中に現出すべき期待予告演出を抽選により決定し、さらに、ステップＳ７５４の予告演出抽選処理で決定された高信頼度予告演出を、その高信頼度予告演出の現出予定自体をキャンセル（無効化）する、高信頼度予告演出変更処理を実行することにより、高信頼度予告演出の現出を１回だけに制限し（【０３０３】、【０３０９】、【０３２８】）、
　
ｅ　複数種類の後予告演出は、装飾図柄変動表示ゲーム中において、装飾図柄の一部または全部を一旦仮停止状態とし、その仮停止状態から装飾図柄の再変動動作を実行する、といった表示動作を１回または複数回繰り返す、疑似連中においても複合発生しうる予告演出態様であり（【０１３０】、【０１３３】）、
　
ｆ　変動パターンの内容と演出用乱数とに基づき、各期待予告演出種別（前予告演出１〜６）に属する複数種類の予告演出のうちからいずれか一つの予告演出が抽選により決定される（【０３１２】）
　遊技機。」
　
　（３）対比
　本件補正発明と刊行物発明とを、分説に従い対比する。
　　（ａ）刊行物発明における「遊技球が上始動口３４または下始動口３５に遊技球が入球したこと」は、本件補正発明における「始動条件の成立を契機と」することに相当する。
　そして、刊行物発明における「抽選結果」は、「大当り抽選」の結果であるから、本件補正発明における「特別遊技を実行するか否か」の「判定結果」に相当する。
　さらに、刊行物発明における「特別図柄１、２を変動表示して特別図柄変動表示ゲームを開始させ、所定時間経過後に、その結果を導出表示して、特別図柄変動表示ゲームを終了させる」ことは、変動表示ゲームの進行を制御することであるから、本件補正発明における「遊技の進行を制御する」ことに相当する。
　したがって、刊行物発明における構成ａの「主制御部２０」は、本件補正発明における構成Ａの「遊技制御手段」に相当する。
　
　　（ｂ）刊行物発明における「主制御部２０からの特別図柄変動表示ゲームに関する情報」のうちの「当落抽選結果」は、本件補正発明における「判定結果」に相当する。
　そして、刊行物発明における「大当り抽選結果に関連した様々な予告演出」は、本件補正発明における「複数の演出」に相当する。したがって、刊行物発明における「大当り抽選結果に関連した様々な予告演出」のうちから、「装飾図柄変動表示ゲーム中において」「現出制御」される「予告演出」は、本件補正発明における「複数の演出のうちから決定された遊技の進行に対応する遊技演出」に相当する。
　また、刊行物発明における「液晶表示装置３６」は、本件補正発明における「演出装置」に相当する。
　よって、刊行物発明における構成ｂの「演出制御部２４」は、本件補正発明における構成Ｂの「演出制御手段」に相当する。
　
　　（ｃ）刊行物発明における「リーチ演出の発生可能性を予告する演出態様」は、構成ｂより、「大当り抽選結果に関連した様々な予告演出」に含まれる概念であるから、上記（ｂ）と同様に、本件補正発明における「複数の演出」に相当する。
　そして、刊行物発明における「高信頼度予告演出」には、「前予告演出１〜６および後予告演出１〜２の各予告演出に属する」複数の予告演出が含まれることから、「当り当選期待度が所定の期待値以上の」「高信頼度予告演出」は、本件補正発明における「特別遊技を実行する信頼度が高い複数の第１の予告演出」に相当する。
　同様に、刊行物発明における「それ（高信頼度予告演出）以外の低信頼度予告演出」は、本件補正発明における「特別遊技を実行する信頼度が前記複数の第１の予告演出よりも低い複数の第２の予告演出」に相当する。
　
　次に、刊行物発明における「可動体役物の動作パターンにより、当り当選期待度を示唆する予告演出態様である前予告演出６」と、本件補正発明における「可動役物の落下によって特別遊技が実行されることを報知する可動役物落下演出」とを対比する。
　まず、刊行物発明における「前予告演出６」は、構成ｂより、「前予告演出」のうちの１種類であって、また、「当り当選期待度を示唆する予告演出態様であって、高信頼度予告演出に属する」ものである。
　ここで、本件補正発明における「可動役物落下演出」による「特別遊技が実行されることを報知する」ことの意味について検討する。
　本願明細書の【０１３４】に「このような可動役物１４の落下は、通常遊技の終了後に特別遊技を実行する信頼度の高い演出（確定演出を含む）として基本的に１回実行すればよいが、例外的に複数のタイミング、例えばＳＰリーチ演出及びＳＰＳＰリーチ演出の両方、ＳＰリーチ演出又はＳＰＳＰリーチ演出と復活演出との両方で行ってもよい。そして、可動役物落下演出を２回以上実行する場合、複数の大当たりのうちの遊技者にとって有利な所定の大当たりが確定する大当たり確定演出としてもよい。・・・」と記載されている。この記載によると、「可動役物落下演出」は、「通常遊技の終了後に特別遊技を実行する信頼度の高い演出（確定演出を含む）」である。
　そうすると、本件補正発明における「可動役物落下演出」の「報知」内容である「特別遊技が実行されること」は、特別遊技の実行される信頼度が高い（確定演出を含む）ことであると解される。
　したがって、刊行物発明における「当り当選期待度を示唆する」「前予告演出６」、すなわち、「高信頼度予告演出に属するもの（演出）」は、本件補正発明における「特別遊技が実行されることを報知する」「演出」に相当する。
　
　また、刊行物発明における「可動体役物の動作パターン」による「前予告演出」と、本件補正発明における「可動役物の落下によ」る「演出」とは、「可動役物の動作によ」る「演出」である点で共通する。
　したがって、刊行物発明における「可動体役物の動作パターンにより、当り当選期待度を示唆する予告演出態様である前予告演出６」と、本件補正発明における「可動役物の落下によって特別遊技が実行されることを報知する可動役物落下演出」とは、「可動役物の動作によって特別遊技が実行されることを報知する可動役物動作演出」である点で共通する。
　
　よって、刊行物発明における構成ｃと、本件補正発明における構成Ｃとは、「複数の演出は、特別遊技を実行する信頼度が高い複数の第１の予告演出と、特別遊技を実行する信頼度が複数の第１の予告演出よりも低い複数の第２の予告演出と、可動役物の動作によって特別遊技が実行されることを報知する可動役物動作演出を含」む点で共通する。
　
　　（ｄ）刊行物発明における「今回の図柄変動表示ゲーム中」は、本件補正発明における「図柄表示手段の図柄の変動開始から変動停止までの１回の変動表示内」に相当する。
　
　ここで、刊行物発明における「後予告演出」について検討する。
　刊行物発明の構成ｃより、「後予告演出」には、「リーチ演出中に発生しうる複数種類の予告演出が設けられ」ているものである。
　また、刊行物発明の構成ｃより、「後予告演出」としての「後予告演出１〜２」は、「高信頼度予告演出」を含むものである。
　さらに、刊行物発明における「予告演出遊技者が枠演出ボタン１３を操作したか否かに応じて、演出の内容が変化し得る予告演出態様である「ボタン予告演出」」は、本件補正発明における「遊技者による操作手段の操作により実行される」「予告演出」に相当する。同様に、刊行物発明における「複数の花弁が舞い落ちる様を表現した画像が表示され、この舞い落ちる花弁の種類に応じて当り当選期待度が示唆されるといった予告演出態様である「画像出現予告演出」」は、遊技者による枠演出ボタン１３の操作を必要とするものでないことから、本件補正発明における「遊技者による操作手段の操作がなくても実行可能な」「予告演出」に相当する。
　したがって、刊行物発明における「「ボタン予告演出」に属する後予告演出２」は、本件補正発明における「所定のリーチ演出の実行中に、複数の第１の予告演出のうちの特定の予告演出であって、遊技者による操作手段の操作により実行されるもの（演出）」に相当し、刊行物発明における「「画像出現予告演出」に属する後予告演出１」は、本件補正発明における「所定のリーチ演出の実行中に、複数の第１の予告演出のうちの特定の予告演出であって」「遊技者による操作手段の操作がなくても実行可能なもの（演出）」に相当する。
　
　そして、刊行物発明における「演出制御部２４は」、「今回の図柄変動表示ゲーム中に」「予告演出抽選処理で決定された高信頼度予告演出を、その高信頼度予告演出の現出予定自体をキャンセル（無効化）する、高信頼度予告演出変更処理を実行することにより、高信頼度予告演出の現出を１回だけに制限」するものであり、１回の図柄変動表示ゲーム中に、高信頼度予告演出を２回以上実行しないように制御するものである。
　
　そして、刊行物発明における構成ｄにおける「高信頼度予告演出」に、「後予告演出２」、「後予告演出１」による「高信頼度予告演出」が含まれることから、刊行物発明における構成ｄの「演出制御部２４は」、「今回の図柄変動表示ゲーム中に」「高信頼度予告演出変更処理を実行することにより、高信頼度予告演出の現出を１回だけに制限」することは、本件補正発明における構成Ｄの「演出制御手段は、図柄表示手段の図柄の変動開始から変動停止までの１回の変動表示内における所定のリーチ演出の実行中に、複数の第１の予告演出のうちの特定の予告演出であって、遊技者による操作手段の操作により実行されるもの及び遊技者による操作手段の操作がなくても実行可能なもののうち遊技者による操作手段の操作がなくても実行可能なものを２回以上実行」しないことに相当する。
　
　　（ｅ）刊行物発明における「複数種類の後予告演出」は、構成ｂ、ｃからみて、「演出制御部２４」によって「液晶表示装置３６に現出制御」されるものである。
　そして、上記（ｄ）より、刊行物発明における「後予告演出２」、「後予告演出１」は、本件補正発明における「複数の第１の予告演出のうちの特定の予告演出」に相当する。
　同様に、上記（ｄ）より、刊行物発明における「後予告演出２」、「後予告演出１」は、それぞれ、本件補正発明における「遊技者による操作手段の操作により実行されるもの」、「遊技者による操作手段の操作がなくても実行可能なもの」に相当する。
　また、刊行物発明における「装飾図柄の一部または全部を一旦仮停止状態とし、その仮停止状態から装飾図柄の再変動動作を実行する、といった表示動作を１回または複数回繰り返す、疑似連中」は、本件補正発明における「疑似連続変動演出の実行中」に相当する。
　さらに、刊行物発明における「後予告演出」は、「装飾図柄変動表示ゲーム中において」、「仮停止状態から装飾図柄の再変動動作を実行する、といった表示動作」を「複数回繰り返す、疑似連中においても複合発生しうる予告演出態様であ」ることから、本件補正発明における「１回の変動表示内における疑似連続変動演出の実行中に」「２回以上実行することがあ」ることに相当する。
　したがって、刊行物発明における構成ｅは、本件補正発明における構成Ｅの「演出制御手段は、１回の変動表示内における疑似連続変動演出の実行中に、複数の第１の予告演出のうちの特定の予告演出であって、遊技者による操作手段の操作により実行されるもの又は遊技者による操作手段の操作がなくても実行可能なものを２回以上実行することがあ」ることに相当する。
　
　　（ｆ）刊行物発明において、「各期待予告演出種別（前予告演出１〜６）に属する複数種類の予告演出」は、構成ｄより、「今回の図柄変動表示ゲーム中」に「現出」されるものである。
　そして、刊行物発明は、各「前予告演出１〜６に属する複数種類の予告演出」のうちからいずれか一つの予告演出が抽選により決定されるものである。
　したがって、刊行物発明における構成ｆの「変動パターンの内容と演出用乱数とに基づき、各期待予告演出種別（前予告演出１〜６）に属する複数種類の予告演出のうちからいずれか一つの予告演出が抽選により決定される」ことと、本件補正発明における構成Ｆの「演出制御手段は、１回の変動表示内における所定のリーチ演出の実行中に、可動役物落下演出を２回以上実行しない」こととは、「演出制御手段は、１回の変動表示内に、可動役物動作演出を２回以上実行しない」ことで共通する。
　
　よって、上記（ａ）〜（ｆ）によれば、本件補正発明と刊行物発明は、
「Ａ　特別遊技を実行するか否かを始動条件の成立を契機として判定すると共に、このときの判定結果に基づいて遊技の進行を制御する遊技制御手段と、
Ｂ　前記判定結果に基づいて複数の演出のうちから決定された遊技の進行に対応する遊技演出を演出装置に実行させる演出制御手段と、
　を備える遊技機であって、
Ｃ’　前記複数の演出は、前記特別遊技を実行する信頼度が高い複数の第１の予告演出と、前記特別遊技を実行する信頼度が前記複数の第１の予告演出よりも低い複数の第２の予告演出と、可動役物の動作によって前記特別遊技が実行されることを報知する可動役物動作演出とを含み、
Ｄ　前記演出制御手段は、図柄表示手段の図柄の変動開始から変動停止までの１回の変動表示内における所定のリーチ演出の実行中に、前記複数の第１の予告演出のうちの特定の予告演出であって、遊技者による操作手段の操作により実行されるもの及び遊技者による操作手段の操作がなくても実行可能なもののうち遊技者による操作手段の操作がなくても実行可能なものを２回以上実行せず、
Ｅ　前記演出制御手段は、前記１回の変動表示内における疑似連続変動演出の実行中に、前記複数の第１の予告演出のうちの特定の予告演出であって、遊技者による操作手段の操作により実行されるもの又は遊技者による操作手段の操作がなくても実行可能なものを２回以上実行することがあり、
Ｆ’　前記演出制御手段は、前記１回の変動表示内に、前記可動役物動作演出を２回以上実行しない
　遊技機。」の点で一致し、次の点で相違する。
　
［相違点１］（構成Ｃ）
　特別遊技が実行されることを報知する可動役物動作演出に関して、
　本件補正発明は、可動役物の落下による可動役物落下演出であるのに対して、
　刊行物発明は、可動役物の落下による演出が含まれるか明らかでない点。
　
［相違点２］（構成Ｆ）
　１回の変動表示内に可動役物動作演出を実行する演出制御手段に関して、
　本件補正発明は、所定のリーチ演出の実行中に、可動役物落下演出を２回以上実行しないのに対して、
　刊行物発明は、そのような構成を備えるか不明である点。
　
　（４）当審による判断
　相違点１、２は、可動役物動作演出に関する点で共通するのでまとめて検討する。
　遊技機の技術分野において、遊技者の興趣を向上させるために演出制御手段によって、特別遊技が実行されることを報知する可動役物落下演出を、１回の変動表示内におけるリーチ演出実行中に１回のみ実行可能とすることは、本願出願前に周知の技術事項である（例えば、特開２０１１−１０４２４９号公報の【０００１】、【００２９】、【００３０】、【図２】〜【図３】には、スーパーリーチ時などに役物本体３０を表示画面１４ａの上部領域に勢い良く落下させた後、ホームポジションまでゆっくり上昇させることにより、遊技者が遊技を楽しむことができることのできる弾球遊技機について記載され、特開２００７−７０５７号公報の【０００１】、【００１９】〜【００２０】、【００２２】、【図１】〜【図２】には、スーパーリーチなどが発生すると、演出部材５が自重により瞬時に降下し、その後上昇することにより、演出効果を高めたパチンコ遊技機について記載されている。）。
　
　遊技機の技術分野において、遊技者の興趣を向上させることは、当業者に自明の課題であることから、刊行物発明においても解決されるべき課題であるといえる。
　したがって、刊行物発明と上記周知の技術事項とは遊技者の興趣を向上させるという共通の課題を解決するものである。
　また、刊行物発明と上記周知の技術事項とは、可動役物を用いた予告演出を実行可能な遊技機である点で共通する。
　
　よって、刊行物発明における「可動体役物の動作パターン」による「予告演出６」に、上記周知の技術事項を適用し、「可動体役物の動作パターン」に可動体役物を落下させる動作パターンを含め、演出制御部２４により、リーチ演出時に１回のみの可動体役物を落下させる動作パターンを実行可能とし、上記相違点１〜２に係る本件補正発明の構成とすることは、当業者が容易になし得たものである。
　
　（５）請求人の主張について
　請求人は、平成２９年９月１３日付けの審判請求書において、「引用文献１には、所定のリーチ演出の実行中や疑似連続変動演出の実行中における特定の予告演出の実行回数に関する記載はあるものの、所定のリーチ演出の実行中において大当たりを報知する可動役物落下演出を２回以上実行しないようにするとの構成の明示や示唆の記載は無いため、引用文献１に記載の発明は、補正後の本願発明の特徴となる構成に相当する構成を有していない。従って、請求項１の発明と引用文献１に記載の発明とは全く異なる発明である。」（第６頁下第３〜下８行）と主張する。
　
　そこで、請求人の上記主張について検討する。
　刊行物発明における「当り当選期待度を示唆する」「前予告演出６」のうち、「高信頼度予告演出に属するもの（演出）」が、本件補正発明における「特別遊技が実行されることを報知する」「演出」に相当することは、上記（３）（ｃ）において検討したとおりである。
　そして、上記（４）において示したように、遊技機の技術分野において、遊技者の興趣を向上させるために演出制御手段によって、特別遊技が実行されることを報知する可動役物落下演出を、１回の変動表示内におけるリーチ演出実行中に１回実行可能とすることは、本願出願前に周知の技術事項である。
　したがって、請求人が主張する上記構成を刊行物発明が備えることは、刊行物発明に上記周知の技術事項を適用することにより導き出せる構成である。
　よって、請求人の上記主張を採用することはできない。
　
　（６）小括
　本件補正発明により奏される効果は、当業者が、刊行物発明、及び、上記周知の技術事項から予測し得る効果の範囲内のものであって、格別のものではない。
　よって、本件補正発明は、刊行物発明、及び、上記周知の技術事項に基いて当業者が容易に発明をすることができたものであるから、特許法第２９条第２項の規定により、特許出願の際に独立して特許を受けることができないものである。
　
　４　まとめ
　上記１〜３より、本件補正発明は、特許法第２９条第２項の規定により、特許出願の際に独立して特許を受けることができないものであるから、本件補正は、同法第１７条の２第６項において準用する同法第１２６条第７項に規定する要件を満たさないものであり、同法第１５９条第１項において読み替えて準用する同法第５３条第１項の規定により却下すべきものである。
　
第３　本願発明について
　１　本願発明
　本件補正は、上記のとおり却下されることとなったので、平成２９年１月３０日付け手続補正書の請求項１に係る発明（以下「本願発明」という。）は、次のとおりのものと認める。
「【請求項１】
Ａ　特別遊技を実行するか否かを始動条件の成立を契機として判定すると共に、このときの判定結果に基づいて遊技の進行を制御する遊技制御手段と、
Ｂ　前記判定結果に基づいて複数の演出のうちから決定された遊技の進行に対応する遊技演出を演出装置に実行させる演出制御手段と、
　を備える遊技機であって、
Ｃ１　前記複数の演出は、前記特別遊技を実行する信頼度が高い複数の第１の予告演出と、前記特別遊技を実行する信頼度が前記複数の第１の予告演出よりも低い複数の第２の予告演出とを含み、
Ｄ　前記演出制御手段は、図柄表示手段の図柄の変動開始から変動停止までの１回の変動表示内における所定のリーチ演出の実行中に、前記複数の第１の予告演出のうちの特定の予告演出であって、遊技者による操作手段の操作により実行されるもの及び遊技者による操作手段の操作がなくても実行可能なもののうち遊技者による操作手段の操作がなくても実行可能なものを２回以上実行せず、
Ｅ　前記演出制御手段は、前記１回の変動表示内における疑似連続変動演出の実行中に、前記複数の第１の予告演出のうちの特定の予告演出であって、遊技者による操作手段の操作により実行されるもの又は遊技者による操作手段の操作がなくても実行可能なものを２回以上実行することがある遊技機。」
　
　２　拒絶の理由（平成２８年１１月２２日付け）
　原査定の拒絶の理由は、
　（１）（新規性）この出願の請求項１に係る発明は、その出願前に日本国内において、頒布された下記の刊行物１あるいは２に記載された発明であるから、特許法第２９条第１項第３号に該当し、特許を受けることができない。
　（２）（進歩性）この出願の請求項１に係る発明は、その出願前に日本国内において、頒布された下記の刊行物１、あるいは、２に記載された発明に基いて、その出願前にその発明の属する技術の分野における通常の知識を有する者が容易に発明をすることができたものであるから、特許法第２９条第２項の規定により特許を受けることができない。
　（３）（同日出願）この出願の請求項１に係る発明は、同一出願人が同日出願した下記の出願３に係る発明と同一と認められるから、この通知書と同日に発送した特許庁長官名による指令書に記載した届出がないときは、特許法第３９条第２項の規定により特許を受けることができない。
　というものである。
　
　　　　　　　　　　　　　　＜引用文献等一覧＞
　　　１：特開２０１４−１３８８４１号公報
　　　２：特開２０１４−１１３３３７号公報
　　　３：特願２０１５−８２１５３号（特開２０１６−１９８３９７号）
　
　３　引用文献に記載された事項
　原査定の拒絶の理由に引用された引用文献１（前記「第２　３（２）」における「刊行物１」に対応する。）の記載事項及び引用発明の認定については、前記「第２　３（２）刊行物１」に記載したとおりである。 
　
　４　対比・判断 
　本願発明は、前記「第２　３（１）」で検討した本件補正発明の「複数の演出」（構成Ｃ）に関して、「可動役物の落下によって前記特別遊技が実行されることを報知する可動役物落下演出」「を含み」との限定を省き、
　同じく、本件補正発明の「演出制御手段」（構成Ｆ）に関して、「前記演出制御手段は、前記１回の変動表示内における所定のリーチ演出の実行中に、前記可動役物落下演出を２回以上実行しない」との限定を省いたものである。
　そうすると、本願発明は、刊行物発明であるから、特許法第２９条第１項第３号に該当し、本願発明は、特許を受けることができない。
　
　５　むすび
　よって、本願発明は、特許法第２９条第１項第３号に該当し、特許を受けることができないものである。
　
　よって、結論のとおり審決する。